(57)【要約】【課題】ＡＤＦ側に透明シートで原稿をすくい上げる構成を有する画像読取装置において、小サイズ紙読取時のサイズ外背景の画像汚れを防止する。【解決手段】ＡＤＦ側に透明シートで原稿をすくい上げる構成を持つ読取装置において、透明シートは透明部と白色部とを持つ。搬送原稿読取と静止原稿読取の場合に応じて透明部と白色部とを切り替える。【選択図】図１
2007336278.tif 000002
【特許請求の範囲】
【請求項１】
原稿が載置されるプラテン部と、
前記プラテン部の搬送原稿読取位置に原稿を搬送する搬送手段と、
前記プラテン部に載置された原稿の画像および前記搬送原稿読取位置に搬送された原稿の画像を読み取る読取手段と、
前記搬送手段によって搬送される原稿を前記搬送原稿読取位置で案内するガイド部材と、を有する画像読取装置であって、
前記ガイド部材が透明部と白色部とを有し、
前記搬送手段によって搬送される原稿の画像を読み取る場合には前記透明部が前記搬送原稿読取位置に対向し、前記プラテン部に載置された原稿の画像を読み取る場合には、前記白色部が前記搬送原稿読取位置に対向できるように、前記搬送原稿読取位置に対向する前記ガイド部材の部分が、前記透明部と前記白色部とに切り替え可能であることを特徴とする画像読取装置。
【請求項２】
原稿からの反射光を受光して原稿の画像を読み取る読取手段と、上面に原稿が載置されるプラテン部と、を備えた読取ユニットと、
搬送原稿読取位置にて画像が読み取られる原稿を搬送する搬送手段と、前記プラテン部に載置された原稿を押える板と、を備えると共に前記読取ユニットに対して開閉する原稿搬送ユニットと、
前記原稿搬送ユニットの下面に形成され、前記搬送手段によって前記搬送原稿読取位置に搬送された原稿からの反射光が通過する開口部と、
前記原稿搬送ユニットに設けられ、前記開口部において前記搬送手段によって搬送される原稿を上面で案内するガイド部材と、を有し、
前記ガイド部材が透明部と白色部とを有し、
前記搬送手段によって搬送される原稿の画像を読み取る場合には前記透明部が前記搬送原稿読取位置に対向し、前記プラテン部に載置された原稿の画像を読み取る場合には前記白色部が前記開口部を覆うために前記ガイド部材が、移動可能である
ことを特徴とする画像読取装置。
【請求項３】
前記ガイド部材を移動する作動手段と、前記作動手段を制御する制御手段と、を有し、前記制御手段は、前記搬送原稿読取位置において前記搬送手段によって搬送される原稿の画像を読み取るときには前記透明部が前記搬送原稿読取位置に対向し、前記プラテン部に載置した原稿の画像を読み取るときには前記白色部が前記搬送原稿読取位置に対向するように前記ガイド部材を移動させるべく前記作動手段を制御することを特徴とする請求項１または２記載の画像読取装置。
【請求項４】
前記搬送手段によって搬送される原稿が載置される原稿載置トレイと、前記原稿載置トレイにおける原稿の有無を検知する原稿有無検知手段と、をさらに有し、前記制御手段は、前記ガイド部材の移動を、前記原稿有無検知手段の検知結果に基づいて行うことを特徴とする請求項３記載の画像読取装置。
【請求項５】
前記ガイド部材はフィルム部材であって、前記白色部は、透明フィルムに印刷されていることを特徴とする請求項１乃至４のいずれか１項記載の画像読取装置。
【請求項６】
前記作動手段は正逆転可能な駆動手段であって、前記制御手段は、搬送される原稿の画像を読み取るときと前記プラテン部に載置した原稿の画像を読み取るときとにおける、前記ガイド部材の位置の切り替えを、前記駆動手段による正転と逆転との切り替えにより実行することを特徴とする請求項３または４記載の画像読取装置。
【発明の詳細な説明】
【技術分野】
【０００１】
この発明は、原稿の画像を読み取る画像読取装置に関する。
【背景技術】
【０００２】
従来、ファクシミリや複写機などの画像形成装置に用いられる画像読取装置としては、シート状の原稿だけでなく、本などの厚みのある原稿も読取可能な２種類の読取方式を持つ画像読取装置がある。このような画像読取装置を図８に示す。
【０００３】
図８に示すように、特許文献１に記載されている画像読取装置は、本などの厚みのある原稿を読み取るとき、原稿をプラテンガラス５上に載置して、原稿が静止した状態で読取ユニット１０４を矢印ａ方向に走査しながら画像の読み取りを行う。
【０００４】
また、図８に示すように、シート状の原稿を読み取るときには、読取ユニット１０４を読取位置に停止した状態で、原稿を搬送ユニット１０２により原稿パス（矢印ｂ方向）に沿って搬送しながら画像の読み取りを行う。読取位置には、透明なフィルムである透明シート１３４が設けられ、ガイドと透明シート１３４との間に原稿を搬送させながら読み取る構成になっている。
【特許文献１】特開２０００−１２８３７８号公報
【発明の開示】
【発明が解決しようとする課題】
【０００５】
しかしながら、上述した画像読取装置においては、次のような問題があった。すなわち、図９に示すように、プラテンガラス上に小サイズの原稿（Ａ５）を載置する。画像読取装置は、載置された小サイズの原稿よりも広い領域（Ａ４で示した領域）について読取動作を行う。このように、原稿より大きい領域で読み取ると、原稿外の領域（原稿の枠外）の読取画像は白色となることが好ましいにもかかわらず、特定の部分が黒またはグレーの画像汚れｄになってしまう。この点、本発明者の知見によれば、この画像汚れｄの発生は、原稿外の部分に透明シート１３４の中のガイド部材やローラなどの構成物が背景に写ることに起因する。
【０００６】
したがって、この発明の目的は、静止原稿読取によって小サイズの原稿を読み取る際に、原稿の枠外における背景を白色にすることができ、枠外の画像汚れを防止することができる画像読取装置を提供することにある。
【課題を解決するための手段】
【０００７】
上記目的を達成するために、この発明は、
原稿が載置されるプラテン部と、
前記プラテン部の搬送原稿読取位置に原稿を搬送する搬送手段と、
前記プラテン部に載置された原稿の画像および前記搬送原稿読取位置に搬送された原稿の画像を読み取る読取手段と、
前記搬送手段によって搬送される原稿を前記搬送原稿読取位置で案内するガイド部材と、を有する画像読取装置であって、
前記ガイド部材が透明部と白色部とを有し、
前記搬送手段によって搬送される原稿の画像を読み取る場合には前記透明部が前記搬送原稿読取位置に対向し、前記プラテン部に載置された原稿の画像を読み取る場合には、前記白色部が前記搬送原稿読取位置に対向できるように、前記搬送原稿読取位置に対向する前記ガイド部材の部分が、前記透明部と前記白色部とに切り替え可能である
ことを特徴とするものである。
【発明の効果】
【０００８】
この発明によれば、静止原稿読取によって小サイズの原稿を読み取る際に、原稿の枠外における背景を白色にすることができるので、枠外の画像汚れを防止することができる。
【発明を実施するための最良の形態】
【０００９】
以下、この発明の一実施形態について図面を参照しながら説明する。なお、以下の実施形態の全図においては、同一または対応する部分には同一の符号を付す。図１に、この発明の一実施形態による自働給送読取装置の主要部を示し、図２に、画像形成装置の概略構成を示す。
【００１０】
図２に示す画像形成装置においては、画像読取開始信号が入力されると、像担持体としての感光体ドラム３１が帯電手段３３によって所定電位になるように帯電される。一方、図１に示すように、原稿を搬送しつつ読み取る搬送原稿読取装置３においては、原稿読取部としてのプラテンガラス（プラテン部）５上に載置された原稿上の画像読取が行われ、画像形成を行うための画像形成部に画像信号が供給される。
【００１１】
画像形成手段としての画像形成部においては、上述した画像信号が供給され、ＯＮ／ＯＦＦ発光がされるＬＥＤやレーザなどからなる露光手段３２により、感光体ドラム３１上に原稿画像に対応した静電潜像が形成される。続いて、この静電潜像が、トナー粒子を収容した現像手段としての現像器３４によって現像され、感光体ドラム３１上にトナー像として形成される。
【００１２】
このように、感光体ドラム３１上に形成されたトナー像は、転写装置３７によってシート材としての転写材上に静電転写される。転写材は、静電分離されて定着器３６に搬送され、熱定着されて画像が出力される。
【００１３】
一方、トナー像転写後の感光体ドラム３１の面は、クリーナ３５によって転写残りトナーなどの付着汚染物が除去される。また、感光体ドラム３１の面は、必要に応じて像露光の光メモリ（ゴースト）を除去する前露光手段３８による露光を受け、繰り返し画像形成に使用される。
【００１４】
（搬送原稿読取装置）
次に、搬送原稿読取装置３の構成および動作を説明する。図３に原稿搬送ユニット１を開いた状態を示す。図４に、搬送原稿読取装置３の斜視図を示し、図５にガイド部材としての透明白切り替えシートを示す。また、図６に、透明白切り替えシートの斜視図を示し、図７に透明白切り替えシートの動作フローチャートを示す。図１０に、搬送原稿読取装置３の制御ブロック図を示す。なお、図９は、小サイズ紙読取時の枠外画像汚れを示す図である。
【００１５】
図１に示すように、搬送原稿読取装置３は、原稿搬送ユニット１と、上面に原稿が載置されるプラテンガラス５および読取手段としての密着型イメージセンサ２４を含む読取ユニット２との２つのユニットから構成されている。
【００１６】
また、図３および図４に示すように、原稿搬送ユニット１の下面には、静止原稿読取時に、原稿をプラテンガラス５に密着させるように押える白地板６が取り付けられている。原稿搬送ユニット１は、ヒンジ７を回転中心として読取ユニット２に対して開閉可能に構成されている。
【００１７】
図１に示すように、原稿搬送ユニット１には、原稿ガイド面として略Ｕ字状の原稿搬送路（以下、Ｕターンパス）１９が設けられている。このＵターンパス１９には、原稿Ｓを搬送する搬送手段としての第１搬送ローラ対１４および第２搬送ローラ対１５や、原稿Ｓの先端部および後端部を検出する原稿エッジセンサなどが設けられている。
【００１８】
また、Ｕターンパス１９の上流端側には、原稿ストッパ１８と、原稿有無検知手段としての原稿有無センサ１７と、ピックアップローラ１１と、分離ローラ１２および分離パット１３とが設けられている。
【００１９】
原稿ストッパ１８は、原稿載置トレイ４に積載された原稿Ｓの先端位置を規制する。原稿有無センサ１７は原稿Ｓの有無を検知する。ピックアップローラ１１は、積載された原稿Ｓの最上位のものに当接して、これをピックアップする。分離ローラ１２および分離パット１３は、ピックアップローラ１１によりピックアップされた原稿Ｓを１枚に分離するために互いに圧接するようになっている。
【００２０】
また、Ｕターンパス１９の下流端側には、原稿Ｓをプラテンガラス５上の透明白切り替えシート２２、この透明白切り替えシート２２に押し付ける押え部材としての読取白地板２３、および原稿Ｓを排出する原稿排出ローラ対１６が設けられている。
【００２１】
読取白地板２３の上流側の原稿搬送路は、読取前上ガイドＧ１２と、読取前下ガイドＧ１１とから構成されている。読取白地板２３の下流側の原稿搬送路は、読取後上ガイドＧ２２と、読取後下ガイドＧ２１とから構成されている。原稿搬送ユニットの下面は、読取前下ガイドＧ１１と、読取後下ガイドＧ２１と、で開口部Ｋが形成されている。読取白地板２３および透明白切り替えシート２２は開口部Ｋに設けられている。
【００２２】
さらに、原稿搬送ユニット３においては、Ｕターンパス１９の上流端側に接続するように原稿載置トレイ４が設けられ、原稿排出ローラ対１６の下流側に圧板の上面と一体である原稿排出トレイ２６（図４参照）が形成されている。
【００２３】
原稿搬送ユニット１に対してプラテンガラス５を介して配置された密着型イメージセンサ２４は、原稿の画像情報を読み取るものである。すなわち、密着型イメージセンサ２４は、光源としてのＬＥＤアレイ（図示せず）から原稿Ｓの画像情報面に光を照射し、原稿の画像情報面で反射した反射光をセルフォックレンズ（商標）（図示せず）によって、センサ素子に結像させる。原稿搬送ユニット１によって搬送される原稿の画像を読取るときには、密着型イメージセンサ２４からの光および該光の原稿からの反射光は開口部Ｋを通過する。
【００２４】
この密着型イメージセンサ２４は、左右（矢印Ａ方向）に移動する。密着型イメージセンサ２４は、移動しながらプラテンガラス５上に載置された原稿の画像を読み取る。密着型イメージセンサ２４は移動しながら予め決められた読取領域Ｘの画像を読取る。
【００２５】
また、静止原稿の読み取り時においては、図中右側で読み取りを行い、原稿搬送ユニット１によって搬送される原稿を読み取る場合においては、図１の位置で固定され、搬送されてくる原稿の画像を搬送原稿読取位置Ｚで読み取る。なお、搬送原稿読取位置Ｚは、プラテンガラス５上に載置された原稿の画像を読み取るときの密着型イメージセンサの読取領域Ｘに含まれた位置である。
【００２６】
図１０に、搬送原稿読取装置３の制御ブロック図を示す。ＣＰＵやＲＯＭ、ＲＡＭを備えた制御手段Ｃに、原稿搬送ユニット１の原稿搬送系を制御する原稿搬送制御部および、読取ユニット１の読取動作を制御する読取制御部が接続される。また、制御部Ｃには、原
稿有無センサ１７、後述のように透明白切り替えシート２２を移動させる駆動力を発生する駆動モータ、操作部Ｐが接続される。
【００２７】
この原稿搬送ユニット１においては、操作者が原稿Ｓを原稿載置トレイ４に載置するとき、原稿Ｓの読取画像面を上側にして右側からセットされる。この原稿のセットの際には、原稿Ｓの先端位置が原稿ストッパ１８によって規制され、原稿有無センサ１７により原稿Ｓが存在することが検知される。
【００２８】
そして、操作者が操作部（図示せず）から読取開始を指示すると、まず、駆動部（図示せず）が回転される。そして、原稿ストッパ１８がピックアップアーム２７によって押し下げられる。続いて、ピックアップローラ１１によって原稿Ｓが原稿ストッパ１８の上面を通過し、Ｕターンパス１９の内部に給送される。
【００２９】
このとき、原稿搬送ユニット１においては、分離ローラ１２および分離パット１３によって原稿Ｓが１枚ずつに分離され、最上位の原稿Ｓが分離搬送される。また、分離された原稿Ｓは、第１搬送ローラ対１４によってＵターンパス１９に沿って搬送される。この原稿Ｓは、さらに第２搬送ローラ対１５によって、フィルム保持部材としてのシート押え板２１の上面を通過して、読取白地板２３と透明白切り替えシート２２との間に搬送される。
【００３０】
原稿搬送ユニット１においては、原稿エッジセンサにより原稿Ｓの先端部が検知されると、その位置から所定量搬送されたところで、密着型イメージセンサ２４による画像情報の読み取りが開始される。その時、原稿Ｓは読取白地板２３に押圧され、原稿浮きによる読取画像不良の発生の防止が図られている。
【００３１】
この読取開始後、原稿Ｓは透明白切り替えシート２２により上方へ持ち上げられるように案内され、原稿排出ローラ対１６に向けて搬送される。そして、原稿Ｓの後端部が原稿エッジセンサにより検知されると、その位置から所定量搬送された段階で、密着型イメージセンサ２４による画像情報の読み取りが終了する。この原稿Ｓは、原稿排出ローラ対１６によって搬送されて圧板上面に一体形成された原稿排出トレイ２６に排出される。
【００３２】
このようにして、上述した読取動作は、原稿搬送ユニット１において原稿有無センサ１７が原稿無しの状態を検知するまで繰り返される。
【００３３】
次に、この一実施形態による透明白切り替えの構成について、図５Ａ、図５Ｂおよび図６を参照して説明する。なお、透明白切り替えシート２２としては、ポリプロピレン、ポリエステル、ＰＥＴなどの透明なプラスチック材料が用いられる。ここで、この一実施形態においては、透明白切り替えシート２２は、厚さが約０．１ｍｍのポリエステルフィルムの通過面側にハードコート処理を施した材料が用いられ、原稿との摩擦傷が抑制可能に構成されている。
【００３４】
また、図６に示すように、透明白切り替えシートは、白色部２２ａ、透明部２２ｂおよびシート押え板２２ｃから構成されている。白色部２２ａは、上述したポリエステルフィルムに白色印刷を施したものである。また、シート押え板２２ｃと白色部２２ａとは接着されている。
【００３５】
透明白切り替えシート２２が、図５のＢ方向に移動して、読み取り部が切り替わる構成になっている。図５Ａに、搬送原稿読み取り時で透明白切り替えシートの透明部２２ｂが搬送原稿読取位置（搬送原稿読取ライン上）に位置する状態を示す。また、図５Ｂに、静止原稿読取時で読取領域Ｘ内には透明白切り替えシート２２の白色部２２ａが位置する状
態を示す。
【００３６】
図５Ｂに示すように、静止原稿読取時で読み取り時には、原稿搬送ユニット１の開口部Ｋを白色部２２ａが覆う位置に透明白切り替えシート２２が移動する。ここで開口部Ｋを白色部２２ａが覆うとは、開口部Ｋの全域を白色部２２ａが覆わずとも、少なくとも開口部Ｋのうちの静止原稿読取時の読取領域Ｘと重複する部分を白色部２２ａが覆えばよい。また、開口部Ｋのうちの静止原稿読取時の読取領域Ｘと重複する部分の全てを白色部２２ａで覆わずとも静止原稿として小さいサイズの原稿を読み取る際に、原稿枠外の画像汚れが問題となる箇所を白色部２２ａで覆えばよい。
【００３７】
通常、待機状態においては、図５Ｂに示す状態にある。これに対し、図７のフローチャートに示すように、原稿Ｓが原稿載置トレイ４に載置されると、この原稿Ｓが原稿有無センサ１７により検知されて制御部Ｃが原稿載置トレイ４に原稿が載置されたと判断する。そして、原稿Ｓが存在した段階で、制御部Ｃは、透明白切り替えシート２２を搬送原稿読取側（図５Ａ側）に移動させるように駆動モータを制御する。原稿載置トレイ４に原稿が載置されていないと判断された場合、制御部Ｃは、透明白切り替えシート２２を静止原稿読取側（図５Ｂ側）に移動させるように駆動モータを制御する。例えば、制御部Ｃは、搬送原稿読取終了後、静止原稿読取側（図５Ｂ側）に移動させるように制御する。このような構成で静止原稿読取時の小サイズ紙背景の画像汚れを防止する。そして、これらの移動を行うための駆動は、駆動手段としての駆動モータの正転および逆転により行われる。
【００３８】
以上、この発明の一実施形態について具体的に説明したが、この発明は、上述の一実施形態に限定されるものではなく、この発明の技術的思想に基づく各種の変形が可能である。例えば、上述の実施形態において挙げた材料などは、あくまでも例に過ぎず、必要に応じてこれと異なる材料を用いてもよい。
【００３９】
また、透明白切り替えシート２２を移動させる作動手段としての駆動モータによって原稿を搬送する搬送手段を駆動してもよい。
【００４０】
また、例えば上述の一実施形態においては、透明白切り替えシート２２を移動させる作動手段としての駆動モータを例示したが、駆動モータに換えて制御部Ｃによって動作を制御されるプランジャを用いて透明白切り替えシート２２を移動させてもよい。
【００４１】
また、例えば、上述の一実施形態においては、原稿有無センサ１７の検知結果に基づいて制御部Ｃによって自動的に透明白切り替えシート２２を移動させる構成を例示したが、ユーザが手動で移動させる形態であってもよい。
【００４２】
なお、上述した一実施形態においては、画像読取装置を適用した画像形成装置として複写機を例示したが、これに限定されるものではなく、画像読取装置をファクシミリ装置などの画像形成装置における読取部として用いることも可能である。
【図面の簡単な説明】
【００４３】
【図１】この発明の一実施形態による自働給送読取装置を示す断面図である。
【図２】この発明の一実施形態による画像形成装置を示す略線図である。
【図３】この発明の一実施形態による自働給紙圧板部を開いた時の状態を示す斜視図である。
【図４】この発明の一実施形態による自働給送読取装置を示す斜視図である。
【図５】この発明の一実施形態による透明白切り替えシートの動作を示す図である。
【図６】この発明の一実施形態による透明白切り替えシートを示す斜視図である。
【図７】この発明の一実施形態による透明白切り替えシートの動作を示すフローチャートである。
【図８】従来技術による自働給送読取装置を示す断面図である。
【図９】従来技術による小サイズ紙読取時の枠外画像汚れを示す図である。
【図１０】搬送原稿読取装置の制御ブロックを示すブロック図である。
【符号の説明】
【００４４】
１  原稿搬送ユニット
２  読取ユニット
３  搬送原稿読取装置
４  原稿載置トレイ
５  プラテンガラス
６  白地板
７  ヒンジ
１１  ピックアップローラ
１２  分離ローラ
１３  分離パット
１４  第１搬送ローラ対
１５  第２搬送ローラ対
１６  原稿排出ローラ対
１７  原稿有無センサ
１８  原稿ストッパ
１９  Ｕターンパス
２１  シート押さえ板
２２  透明白切り替えシート
２２ａ  白色部
２２ｂ  透明部
２２ｃ  シート押え板
２３  読取白地板
２４  密着型イメージセンサ
２６  原稿排出トレイ
２７  ピックアップアーム
３１  感光体ドラム
３２  露光手段
３３  帯電手段
３４  現像器
３５  クリーナ
３６  定着器
３７  転写装置
３８  前露光手段
１０２  搬送ユニット
１０４  読取ユニット
１３４  透明シート
Ｓ  原稿
【図１】
2007336278.tif 000003
【図２】
2007336278.tif 000004
【図３】
2007336278.tif 000005
【図４】
2007336278.tif 000006
【図５】
2007336278.tif 000007
【図６】
2007336278.tif 000008
【図７】
2007336278.tif 000009
【図８】
2007336278.tif 000010
【図９】
2007336278.tif 000011
【図１０】
2007336278.tif 000012